(57)【要約】【課題】ハンガーを取り付けた際のがたつきを抑制しつつ、椅子へのハンガーの取り付け及び取り外しに要する操作力が大きくなりすぎないようにする。【解決手段】背フレーム７に背凭れ８を支持させて成るとともにハンガー３を取り付け可能な椅子１において、ハンガー３の下端に取付部３３を設け、背フレーム７の背面と背凭れ８の背面との間に形成された左右一対のくびれ溝２ｍに前記取付部３３を部材の弾性変形を利用して着脱可能に係わり合わせることによりハンガー３を取り付けるようにする。【選択図】図２
2010022609.tif 000002
【特許請求の範囲】
【請求項１】
背フレームに背凭れを支持させて成るとともにハンガーを取り付け可能な椅子であって、
ハンガーの下端に取付部を設け、
背フレームの背面と背凭れの背面との間に形成された左右一対の溝に前記取付部を部材の弾性変形を利用して着脱可能に係わり合わせることによりハンガーを取り付けるようにしていることを特徴とする椅子。
【請求項２】
前記背フレームと前記背凭れとを接続部分以外で離間させた椅子であって、
前記背フレームと前記背凭れとの間に形成される対を成す溝を前記左右一対の溝として利用している請求項１記載の椅子。
【請求項３】
前記背フレームと前記背凭れとの間に前記背フレームよりも幅寸法が小さい連結部を前記接続部分として設けた椅子であって、
この連結部の左右両側に形成されるくびれ溝を前記左右一対の溝として利用している請求項２記載の椅子。
【請求項４】
前記背フレームが門型を成しその背フレームの左右上端部に前記背凭れを取り付けた椅子であって、
前記背フレームの上端部と背凭れの上端部の間に形成される空間の左右両端部を前記左右一対の溝として利用している請求項２記載の椅子。
【請求項５】
前記背フレームの背面と前記背凭れの背面との間に存在する部材の左右両側面に前記左右一対の溝を設けた請求項１記載の椅子。
【請求項６】
前記部材が背フレームである請求項５記載の椅子。
【請求項７】
前記左右一対の溝と前記取付部との間にハンガーの抜け止めを図るための抜け止め機構を設けている請求項１、２、３、４、５または６記載の椅子。
【請求項８】
前記左右一対の溝と前記取付部との間にこの取付部の弾性を利用してハンガーを所望の高さ位置に節度停止させるための節度機構を設けている請求項１、２、３、４、５、６または７記載の椅子。
【請求項９】
前記ハンガーがハンガー本体と、
このハンガー本体を下方から支持するハンガー脚と、
このハンガー脚の下端部に設けた前記取付部とを具備するとともに、
前記背フレームが上下方向に延伸しこの背フレームの上端部に前記ハンガーを取り付けるようにしているものであって、
前記ハンガー脚の幅寸法を前記背フレームの幅寸法内に収めている請求項３記載の椅子。
【発明の詳細な説明】
【技術分野】
【０００１】
本発明は、ハンガーを取り付け可能な椅子に関するものである。
【背景技術】
【０００２】
従来、椅子に上着を掛ける使用態様に対応可能にすべく、ハンガーを後付け可能な椅子が種々考えられてきている。このような椅子として例えば、背凭れの背面にハンガー取付具を設け、このようなハンガー取付具にハンガーを支持させるようにしているものが考えられている（例えば特許文献１を参照）。
【特許文献１】特開２００４−１７４１４５号公報
【発明の開示】
【発明が解決しようとする課題】
【０００３】
ところで、特許文献１記載の構成では、ハンガー取付具に設けたハンガー挿入孔にハンガーを挿し通す構成を採用している。このような構成においては、ハンガー挿入孔にハンガーをほぼ隙間無く挿し通す構成を採用すると、ハンガーを差し入れる際に必要な圧入力が高くなりすぎたり、製造誤差に由来して隙間が発生しハンガーががたつく不具合が発生することがあった。そのため、特許文献１記載の構成では、ハンガーとハンガー挿入孔の間には隙間を設けつつ、ハンガーをがたなく所望の位置に止めておくためにハンガー取付具とハンガーとの間に節度停止機構を別途設けるようにしている。この節度停止機構は、ハンガー取付具側に設けた突没可能な突起とハンガー側に設けた凹部とを係わり合わせるようにし、前記突起には凹部側に向かう方向に力を与えるバネ等の力付与手段を接続し、突起を凹部に押し付けるようにしている。しかし、力付与手段はハンガー取付具内の限られたスペースに収容する必要があるため小型のものにせざるを得ず、突起に与える力の大きさが安定しにくい。すなわち、ハンガーを抜き差しする時に必要な力が大きくなりすぎたり、突起に与える力が十分でなくハンガーが上下方向にがたつきやすくなることがある。
【０００４】
そこで本発明は上記のような課題に着目したものであり、椅子へハンガーをがたつきを押さえて安定して取り付けられるようにしつつ、取り付け及び取り外しを容易に行うことができるようにすることを目的としている。
【課題を解決するための手段】
【０００５】
以上のような課題を解決するためになされた本発明に係る椅子は、背フレームに背凭れを支持させて成るものであって、ハンガーの下端に取付部を設け、背フレームの背面と背凭れの背面との間に形成された左右一対の溝に前記取付部を部材の弾性変形を利用して着脱可能に係わり合わせることによりハンガーを取り付けるようにしていることを特徴とする。
【０００６】
このようなものであれば、一対の溝にハンガーの下端に設けた取付部を弾性変形を利用して係わり合わせることによりハンガーを取り付けるようにしているので、ハンガーを取り付けた際のがたつきを抑制できる。また、取付部の弾性力は製造誤差による影響を受けにくいので、ハンガーを取り付けた際のがたつきを抑制しつつ、ハンガーの取り付け及び取り外しに必要な操作力が大きくなりすぎないようにすることができる。
【０００７】
前記課題を解決する上で、部品点数や加工工数を削減できるようにするには、前記背フレームと前記背凭れとを接続部分以外で離間させた椅子であって、前記背フレームと前記背凭れとの間に形成される対を成す溝を前記左右一対の溝として利用するものが望ましい。このようなものであれば、別途の部材をさらに設ける必要がなく、また、前記左右一対の溝を形成するための加工を別途行う必要もないからである。
【０００８】
前述した課題を解決できる椅子の構成の一例として、前記背フレームが門型を成しその背フレームの左右上端部に前記背凭れを取り付けた椅子であって、前記背フレームの上端部と背凭れの上端部の間に形成される空間の左右両端部を前記左右一対の溝として利用するものが挙げられる。
【０００９】
また、前述した課題を解決できる椅子の構成の他の一例として、前記背フレームと前記背凭れとの間に前記背フレームよりも幅寸法が小さい連結部を前記接続部分として設けた椅子であって、この連結部の左右両側に形成されるくびれ溝を前記左右一対の溝として利用するものが挙げられる。
【００１０】
特に、前記ハンガーがハンガー本体と、このハンガー本体を下方から支持するハンガー脚と、このハンガー脚の下端部に設けた前記取付部とを具備するとともに、前記背フレームが上下方向に延伸しこの背フレームの上端部に前記ハンガーを取り付けるようにしているものであって、前記ハンガー脚の幅寸法を前記背フレームの幅寸法内に収めているものであれば、取付部及びハンガー脚が目立つことがなく椅子の外観を整えることができる。
【００１１】
また、本発明の課題を解決する上で部品点数を削減できるようにするには、前記背フレームの背面と前記背凭れの背面との間に存在する部材の左右両側面に前記左右一対の溝を設けたものも望ましい。
【００１２】
前段で述べた課題を解決できる椅子の好適な構成の一例として、前記部材が背フレームであるものが挙げられる。
【００１３】
前記左右一対の溝と前記取付部との間にハンガーの抜け止めを図るための抜け止め機構を設けているものであれば、椅子にハンガーを安定して取り付けるようにすることができる。なお、本発明において「抜け止め機構」とは、取付部の弾性を利用するものや、取付部の弾性変形を規制するためのボルトを利用するもの等を含む概念である。
【００１４】
前記左右一対の溝と前記取付部との間にこの取付部の弾性を利用してハンガーを所望の高さ位置に節度停止させるための節度機構を設けているものであれば、ハンガーに掛けるべき上着の丈に対応させてハンガーの位置を設定する等、多様な利用態様に対応させることができる。
【発明の効果】
【００１５】
本発明によれば、一対の溝にハンガーの下端に設けた取付部を弾性変形を利用して係わり合わせることによりハンガーを取り付ける構成を採用しているので、ハンガーの取り付け及び取り外しに必要な操作力に対する製造誤差による影響を抑制できる。したがって、ハンガーを取り付けた際のがたつきを抑制しつつ、ハンガーの取り付け及び取り外しに必要な操作力が大きくなりすぎないようにすることができる。
【発明を実施するための最良の形態】
【００１６】
以下、本発明の実施の形態を、図面を参照して説明する。
【００１７】
第一実施例に係る椅子１は、図１乃至図４に示すように、椅子本体２にハンガー３を着脱可能に設けたものである。
【００１８】
椅子本体２は、脚体４上に基体５を支持させ、その基体５上に座６を設けるとともに、前記基体５から後ろ上方に背フレーム７を延伸させて設け、この背フレーム７に連結部９を介して背凭れ８を支持させたものである。
【００１９】
前記背フレーム７は、基体５から一体に延伸させて設けた下部背フレーム７１とこの下部背フレーム７１の上端にヒンジ７３を介して取り付けられた上部背フレーム７２とを備えている。
【００２０】
前記背凭れ８は、下端部を前記下部背フレーム７１に固定支持させているとともに、上端部を前記上部背フレーム７２に前記連結部９を介して上下方向にスライド可能に支持させている。また本実施例では、高さ方向中間部にスリット８ａを設け弾性変形可能なものとしている。
【００２１】
前記連結部９は、背凭れ８の背面に設けた下方に開口するスライド案内部材９１と、背フレーム７の前面に設けた上方に突出する突起９２とを備え、前記スライド案内部材９１の開口に前記突起９２を挿入させている。そして、背凭れ８の弾性変形に対応して突起９２とスライド案内部材９１とが相対移動するようにしている。より具体的には、前記スライド案内部材９１が突起９２に案内されて上下にスライド移動するようにしている。また、前記スライド案内部材９１の幅寸法は上部背フレーム７２の幅寸法よりも小さくし、このスライド案内部材９１の左右両側かつ背フレーム７の背面と背凭れ８の背面との間に形成される空間をくびれ溝２ｍとしている。なお、前記背フレーム７と前記背凭れ８とはこの連結部９以外の部分では離間している。
【００２２】
一方、前記ハンガー３は、衣類を掛けることができるハンガー本体３１と、このハンガー本体３１を支持するためのハンガー脚３２とこのハンガー脚３２の下端部に取り付けられた取付部３３を具備する。前記ハンガー脚３２は、その幅寸法の全域を前記背フレーム７の幅寸法内に収めている。
【００２３】
前記取付部３３は、左右一対の取付片３３１を備えていて、これら取付片３３１を前記くびれ溝２ｍにそれぞれ弾性変形を利用して着脱可能に係わり合わせることにより、ハンガー３を背フレーム７の上端部に取り付けるようにしている。なお、この取付部３３の上端に隣接する部位の背面は、椅子本体２に取り付けた状態で背フレーム７の背面と略面一となるようにしている。
【００２４】
また、この取付部３３の下端と前記くびれ溝２ｍの終端すなわち前記スライド案内部材９１の下面９１ａとの間には、ハンガー３の抜け止めを図るための抜け止め機構Ｎを備えている。この抜け止め機構Ｎは具体的には、前記一対の取付片３３１の下端にそれぞれ相寄る方向に突出させて設けた抜け止め爪３３１ａと、前記スライド案内部材９１の下面９１ａとを係わり合わせて成るものである。
【００２５】
次に、前記ハンガー３の椅子本体２への取り付け及び取り外しの際の操作及び各部の作用を示す。
【００２６】
まず、前記ハンガー３を椅子本体２に取り付ける際には、取付片３３１間をさらに離間させるように取付片３３１に力を加え、次いで、前記取付片３３１を前記くびれ溝２ｍに挿入する。それから、ハンガー３を下方に移動させる。すると、前記抜け止め爪３３１ａが前記スライド案内部材９１の下面９１ａより下方に達した際に、取付片３３１が弾性変形し、前記抜け止め爪３３１ａと前記スライド案内部材９１の下面９１ａとが係わり合うとともに、前記取付片３３１のほぼ全体が前記くびれ溝２ｍ内に位置し、前記取付片３３１の上端部間の部位は、前記スライド案内部材９１の上面に突き当たる。この状態でハンガー３を上方に移動させても、抜け止め爪３３１ａがスライド部材の下面９１ａに突き当たるのでハンガー３のこれ以上の移動が規制される。
【００２７】
一方、前記ハンガー３を椅子本体２から取り外す際には、少なくとも一方の取付片３３１を他方の取付片３３１からさらに離間させるように取付片３３１に力を加え、抜け止め爪３３１ａとスライド案内部材９１の下面９１ａとの係わり合いを解除させる。そして、その状態でハンガー３を上方に移動させることにより取り外し操作を行う。
【００２８】
以上のような構成とすることにより、本実施例に係る椅子１は、前記一対のくびれ溝２ｍにハンガー３の下端に設けた取付部３３を弾性変形を利用して係わり合わせることによりハンガー３を取り付けるようにしているので、ハンガー３を取り付けた際のがたつきを抑制できる。また、ハンガー３の下端部から比較的長尺の取付部３３を延伸させて設けているので、ハンガー３の取り付け及び取り外しに必要な操作力に対する製造誤差による影響を抑制できる。したがって、ハンガー３を取り付けた際のがたつきを抑制しつつ、椅子１へのハンガー３の取り付け及び取り外しに要する操作力が大きくなりすぎないようにすることができる。
【００２９】
また、前記背フレーム７と前記背凭れ８との間に前記背フレーム７よりも幅寸法が小さい連結部９を設けて背凭れ８を上下方向にスライド可能に支持させているとともに、この連結部９の左右両側に形成されるくびれ溝２ｍにハンガー３の取付部３３を係わり合わせるようにしているので、特別の部材を設けることなく、また取付部３３に係わり合わせるための左右の溝を別途形成する特別な加工を行うことなく、背凭れ８をスライド可能に支持させるための連結部９をそのまま利用して、少ない部品点数及び少ない加工工数で前段で述べた効果を得ることができる。
【００３０】
さらに、前記くびれ溝２ｍの終端すなわちスライド案内部材９１の下面９１ａと前記取付片３３１の下端に設けた抜け止め爪３３１ａとを係わり合わせる抜け止め機構Ｎを設けているので、ハンガー３を上方に抜き取る力が加えられた際に、抜け止め爪３３１ａが前記スライド案内部材９１の下面９１ａに突き当たることにより、ハンガー３のこれ以上上方への移動が規制される。すなわち、抜け止め機構Ｎを機能させることによりハンガー３が上方に抜き取られることを防ぐことができ、椅子１にハンガー３を安定して取り付けることができる。
【００３１】
そして、前記ハンガー３を前記背フレーム７の上端部に取り付けるようにしているとともに、前記ハンガー脚３２の幅寸法を前記背フレーム７の幅寸法に収めているので、ハンガー３の取付部３３及びハンガー脚３２が目立つことがなく椅子１の外観を整えることができる。
【００３２】
なお、前記背フレーム７は上下に延伸するものを一本のみ設けるようにしてもよく、左右に二本設けてもよい。さらに、上部が枝分かれしたＹ字状のものを一本のみ設けるようしてもよい。
【００３３】
次に第二実施例について図５及び図６を参照して説明する。なお、上述した第一実施例に係るものに対応する部位には、同一の名称及び符号を付している。
【００３４】
第二実施例に係る椅子１は、椅子本体２にハンガー３を着脱可能に設けたものである。なお、ハンガー３を取り付けた状態では、前記図１に示したような第一実施例に係る椅子１と略同様の外観を有する。
【００３５】
椅子本体２は、前記第一実施例に係る椅子１と同様に、脚体４上に基体５を支持させ、その基体５上に座６を設けるとともに、前記基体５から後ろ上方に背フレーム７を延伸させて設け、この背フレーム７に連結部Ａ９を介して背凭れ８を支持させたものである。
【００３６】
前記背フレーム７は、前記第一実施例に係る椅子１と同様に、基体５から一体に延伸させて設けた下部背フレーム７１とこの下部背フレーム７１の上端にヒンジ７３を介して取り付けられた上部背フレーム７２とを備えている。
【００３７】
前記背凭れ８は、前記第一実施例に係る椅子１と同様に、下端部を前記下部背フレーム７１に固定支持させているとともに、上端部を前記上部背フレーム７２に前記連結部９を介して上下方向にスライド可能に支持させている。また本実施例でも同様に、高さ方向中間部にスリット８ａを設け弾性変形可能なものとしている。
【００３８】
前記連結部Ａ９は、背凭れ８の背面に設けた案内突起Ａ９２と背フレーム７の前面に設けたスライド案内凹部Ａ９１とを有する。前記スライド案内凹部Ａ９１は、案内突起Ａ９２の全体を挿入可能な挿入部Ａ９１ａと、その挿入部Ａ９１ａの上方に隣接させて設けてなるとともに案内突起Ａ９２の左右両端部と縁部が係わり合う案内部Ａ９１ｂとを有する。
【００３９】
そして本実施例では、前記背フレーム７の背面と前記背凭れ８の背面との間に存在する部材の両側面、具体的には前記背フレーム７の両側面に左右一対の溝７２ａを設けている。
【００４０】
前記ハンガー３は、第一実施例におけるハンガー３と同様の構成を有する。すなわち前記ハンガー３は、衣類を掛けることができるハンガー本体３１と、このハンガー本体３１を支持するためのハンガー脚３２とこのハンガー脚３２の下端部に取り付けられた取付部３３を具備する。前記ハンガー脚３２の幅寸法は、前記背フレーム７の幅寸法よりも小さくしている。また前記取付部３３は、左右一対の取付片３３１を備えている。これら取付片３３１を前記溝７２ａにそれぞれ弾性変形を利用して着脱可能に係わり合わせることにより、ハンガー３を取り付けるようにしている。
【００４１】
しかして本実施例では、前記背フレーム７に設けた溝７２ａに前記取付部３３を着脱可能に係わり合わせることによりハンガー３を取り付けるようにしている。具体的には、前記背フレーム７に設けた溝７２ａに前記取付片３３１を弾性変形を利用して着脱可能に係わり合わせるようにしている。
【００４２】
すなわち本実施例に係るハンガー３の取り付けは、第一実施例に係るハンガー３の取り付けと略同様であるが、連結部９の左右両側に形成されるくびれ溝２ｍではなく、前記背フレーム７に設けた溝７２ａに前記取付片３３１を係わり合わせる点で異なる。
【００４３】
以上のような構成とすることにより、本実施例に係る椅子１は、前記背フレーム７に設けた溝７２ａにハンガー３の下端に設けた取付部３３を弾性変形を利用して係わり合わせることによりハンガー３を取り付けるようにしているので、ハンガー３を取り付けた際のがたつきを抑制できる。また本実施形態でも、ハンガー３の下端部から比較的長尺の取付部３３を延伸させて設けているので、ハンガー３の取り付け及び取り外しに必要な操作力に対する製造誤差による影響を抑制できる。したがって、ハンガー３を取り付けた際のがたつきを抑制しつつ、椅子１へのハンガー３の取り付け及び取り外しに要する操作力が大きくなりすぎないようにすることができる。
【００４４】
また、前記背フレーム７の左右側面に溝７２ａを設け、この溝７２ａにハンガー３の取付部３３を係わり合わせるようにしているので、特別の部材を設けることなく背フレーム７を利用して、少ない部品点数で前段で述べた効果を得ることができる。
【００４５】
次に第三実施例について図面を参照して説明する。
【００４６】
第三実施例に係る椅子Ｂ１は、図７乃至図１０に示すように、椅子本体Ｂ２にハンガーＢ３を着脱可能に設けたものである。
【００４７】
椅子本体Ｂ２は、脚体Ｂ４上に基体Ｂ５を支持させ、その基体Ｂ５上に座Ｂ６を設けるとともに、前記基体Ｂ５から後ろ上方に背フレームＢ７を延伸させて設け、この背フレームＢ７に背凭れＢ８を支持させたものである。
【００４８】
前記背フレームＢ７は門型を成し、ヒンジＢ７３を介して基端部を前記基体Ｂ５にそれぞれ取り付けた対を成す縦フレーム部Ｂ７１と、それら両縦フレーム部Ｂ７１間の上端部に架設した横フレーム部Ｂ７２とを備えたものである。
【００４９】
前記背凭れＢ８は、背フレームＢ７に対応させて形成した門型の枠部Ｂ８１とその枠部Ｂ８１間に設けた張り部材Ｂ８２を設けたものである。この背凭れＢ８は、枠部Ｂ８１の下端部及び上端部を前記縦フレームＢ７１の前面に取り付けている。また、この背凭れＢ８は、上端部及び下端部以外の部位では背フレームＢ７と離間している。特に、背凭れＢ８の上端部と前記横フレーム部Ｂ７２との間には、端部に向かうにつれ開口幅が小さくなる開口Ｂ９を形成しており、この開口Ｂ９の左右両端部をハンガー３を取り付けるための取付溝Ｂ９ａとしている。
【００５０】
一方、前記ハンガー３は、衣類を掛けることができるハンガー本体Ｂ３１と、このハンガー本体Ｂ３１を支持するとともにこのハンガーＢ３を取り付けるための左右一対の取付部Ｂ３３とを具備する。これら取付部Ｂ３３を前記取付溝Ｂ９ａにそれぞれ弾性変形を利用して着脱可能に係わり合わせることにより、ハンガーＢ３を取り付けるようにしている。前記取付部Ｂ３３は、左右一対の取付片Ｂ３３１を備えている。
【００５１】
また、この取付部Ｂ３３の下端と前記取付溝Ｂ９ａの終端すなわち前記横フレーム部Ｂ７２の下面Ｂ７２ａとの間には、ハンガーＢ３の抜け止めを図るための抜け止め機構Ｎを備えている。この抜け止め機構Ｎは具体的には、前記一対の取付片Ｂ３３１の下端にそれぞれ外方に突出させて設けた抜け止め爪Ｂ３３１ａと、前記横フレーム部Ｂ７２の下面Ｂ７２ａとを係わり合わせて成るものである。
【００５２】
次に、前記ハンガーＢ３の椅子本体Ｂ２への取り付け及び取り外しの際の操作及び各部の作用を示す。
【００５３】
まず、前記ハンガーＢ３を椅子本体Ｂ２に取り付ける際には、取付部Ｂ３３の少なくとも一方の取付片Ｂ３３１に他方の取付片Ｂ３３１へ向かう方向の力を加え、次いで、前記取付部Ｂ３３を前記取付溝Ｂ９ａに挿入する。それから、ハンガーＢ３を下方に移動させる。すると、前記抜け止め爪Ｂ３３１ａが前記横フレーム部Ｂ７２の下面Ｂ７２ａより下方に達した際に、取付部Ｂ３３が弾性変形し、前記抜け止め爪Ｂ３３１ａと前記横フレーム部Ｂ７２の下面７２ａとが係わり合うとともに、前記取付部Ｂ３３の下部、より具体的には取付片Ｂ３３１の下部が前記取付溝Ｂ９ａ内に位置する。この状態でハンガーＢ３を上方に移動させても、抜け止め爪Ｂ３３１ａが横フレーム部Ｂ７２の下面Ｂ７２ａに突き当たるのでハンガーＢ３のこれ以上の移動が規制される。
【００５４】
一方、前記ハンガーＢ３を椅子本体Ｂ２から取り外す際には、取付部Ｂ３３の少なくとも一方の取付片Ｂ３３１に他方の取付片Ｂ３３１へ向かう方向の力を加え、抜け止め爪Ｂ３３１ａと横フレーム部Ｂ７２の下面Ｂ７２ａとの係わり合いを解除させる。そして、その状態でハンガーＢ３を上方に移動させることにより取り外し操作を行う。
【００５５】
以上のような構成とすることにより、本実施例に係る椅子Ｂ１は、前記一対の取付溝Ｂ９ａにハンガーＢ３の下端に設けた取付部Ｂ３３を弾性変形を利用して係わり合わせることによりハンガーＢ３を取り付けるようにしているので、ハンガーＢ３を取り付けた際のがたつきを抑制できる。また、ハンガー本体Ｂ３１の下端部から比較的長尺の取付部Ｂ３３を延伸させて設けているので、ハンガーＢ３の取り付け及び取り外しに必要な操作力に対する製造誤差による影響を抑制できる。したがって、ハンガーＢ３を取り付けた際のがたつきを抑制しつつ、椅子Ｂ１へのハンガーＢ３の取り付け及び取り外しに要する操作力が大きくなりすぎないようにすることができる。
【００５６】
また、背凭れＢ８の上端部と前記横フレーム部Ｂ７２との間には、端部に向かうにつれ開口幅が小さくなる開口Ｂ９を形成しており、この開口Ｂ９の両端部をハンガーＢ３を取り付けるための取付溝Ｂ９ａとしているので、特別の部材を設けることなく、また取付部Ｂ３３に係わり合わせるための左右の溝を別途形成する特別な加工を行うことなく、背凭れＢ８と背フレームＢ７との間の前記開口Ｂ９をそのまま利用して、少ない部品点数及び少ない加工工数で前段で述べた効果を得ることができる。
【００５７】
さらに、前記取付溝Ｂ９ａの終端すなわち横フレーム部Ｂ７２の下面Ｂ７２ａと前記取付部Ｂ３３の下端に設けた抜け止め爪Ｂ３３１ａとを係わり合わせる抜け止め機構Ｎを設けているので、ハンガーＢ３を上方に抜き取る力が加えられた際に、抜け止め爪Ｂ３３１ａが前記横フレーム部Ｂ７２の下面Ｂ７２ａに突き当たることにより、ハンガーＢ３のこれ以上上方への移動が規制される。すなわち、抜け止め機構Ｎを機能させることによりハンガーＢ３が上方に抜き取られることを防ぐことができ、椅子Ｂ１にハンガーＢ３を安定して取り付けることができる。
【００５８】
なお、本発明は以上に述べたような実施例に限らず種々変更可能である。
【００５９】
例えば、左右一対の溝と取付部との間にこの取付部の弾性を利用してハンガーを所望の位置に節度停止させるための節度機構を設けてもよい。このような節度機構として、例えば、取付部に設けた抜け止め爪と前記溝内に前記抜け止め爪と係り合わせることを可能とした複数の止め凹部とを備え、この止め凹部の何れかと前記抜け止め爪とを選択的に係わり合わせて成るものが考えられる。
【００６０】
また抜け止め機構Ｎとして、左右一対に設けた取付部３３間にこの取付部３３の弾性変形を抑止すべく、この取付部３３間を接続するように取り付けられた弾性抑止材、例えば前記図２に想像線で示すようなボルトＮ１を利用したものを用いてもよい。
【００６１】
以上、本実施例及び各変形例について詳述したが、本発明は上記実施形態及び各変形例に限定されるものではなく、その他各部の具体的構成は、本発明の趣旨を逸脱しない範囲で種々変形が可能である。
【図面の簡単な説明】
【００６２】
【図１】本発明の第一実施例に係る椅子を示す斜視図。
【図２】同実施例に係る椅子を示す分解斜視図。
【図３】同実施例に係る椅子の要部を示す側面図。
【図４】同実施例に係る椅子の要部を示す正断面図。
【図５】本発明の第二実施例に係る椅子を示す分解斜視図。
【図６】同実施例に係る椅子の背凭れの平断面図。
【図７】本発明の第三実施例に係る椅子を示す斜視図。
【図８】同実施例に係る椅子を示す分解斜視図。
【図９】同実施例に係る椅子を示す側面図。
【図１０】同実施例に係る椅子の要部を示す平面図。
【符号の説明】
【００６３】
１、Ｂ１…椅子
２、Ｂ２…椅子本体
３、Ｂ３…ハンガー
３１、Ｂ３１…ハンガー本体
３２…ハンガー脚
３３、Ｂ３３…取付部
７、Ｂ７…背フレーム
８、Ｂ８…背凭れ
９、Ｂ９…連結部
２ｍ…くびれ溝
７２ａ…溝
Ｂ９ａ…取付溝
Ｎ…抜け止め機構
【図１】
2010022609.tif 000003
【図２】
2010022609.tif 000004
【図３】
2010022609.tif 000005
【図４】
2010022609.tif 000006
【図５】
2010022609.tif 000007
【図６】
2010022609.tif 000008
【図７】
2010022609.tif 000009
【図８】
2010022609.tif 000010
【図９】
2010022609.tif 000011
【図１０】
2010022609.tif 000012